(57)【要約】【課題】扉一体型交換ユニットの交換作業を容易なものにすることができるようにした遊技機を提供する。【解決手段】ガイド（８０）は、その前後方向の途中に移動体（８１）の移動を困難なものにする移動困難手段（９０）を設け、扉一体型交換ユニット（８）を手前側に引き出して移動体（８１）が移動困難手段（９０）に位置しているとき、扉一体型交換ユニット（８）の重心（９）がガイド（８０）の手前側の前端よりも奥側に位置するように移動困難手段（９０）をガイド（８０）の前後方向の所定位置に形成したことを特徴とする。【選択図】    図１
2004236956.tif 000002
【特許請求の範囲】
【請求項１】
正面側に開口する正面開口部を有する本体キャビネットと、
前記本体キャビネットの高さ方向の途中に位置して前記本体キャビネットを上下に仕切る中板と、
前記本体キャビネットの正面開口部を開閉自在に塞ぐ前扉と、
複数の図柄が表示された回転リール及びこの回転リールを回転表示させるための駆動手段を有するリールユニットとを備えた遊技機であって、
前記リールユニットは、交換ユニットに組み込まれ、
前記中板は、前記交換ユニットを前記本体キャビネットの奥側内部に案内するためのガイドを備え、
前記交換ユニットは、
遊技内容を変更するために前記本体キャビネットに対して交換可能に形成され、  且つ、
前記交換ユニットの下部に固定されて前記ガイドに沿って移動可能な移動体と、
前記リールユニットを装着するための枠と、
前記枠に手で握ることが可能な取っ手とを備え、
前記ガイドは、その前後方向の途中に前記移動体の移動を困難なものにする移動困難手段を設け、
前記交換ユニットを手前側に引き出して前記移動体が前記移動困難手段に位置しているとき、前記交換ユニットの重心が前記ガイドの手前側の前端よりも奥側に位置するように前記移動困難手段を前記ガイドの前後方向の所定位置に形成したことを特徴とする遊技機。
【請求項２】
正面側に開口する正面開口部を有する本体キャビネットと、
前記本体キャビネットの高さ方向の途中に位置して前記本体キャビネットを上下に仕切る中板と、
前記本体キャビネットの正面開口部の上部を開閉自在に塞ぐ上扉と、
前記本体キャビネットの正面開口部の下部を開閉自在に塞ぐ下扉と、
複数の図柄が表示された回転リール及びこの回転リールを回転表示させるための駆動手段を有するリールユニットとを備えた遊技機であって、
前記リールユニット及び前記上扉は、扉一体型交換ユニットに組み込まれ、
前記中板は、前記扉一体型交換ユニットを前記本体キャビネットの奥側内部に案内するためのガイドを備え、
前記扉一体型交換ユニットは、
遊技内容を変更するために前記本体キャビネットに対して交換可能に形成され、  且つ、
前記扉一体型交換ユニットの下部に固定されて前記ガイドに沿って移動可能な移動体と、
前記リールユニット及び前記上扉を装着するための枠と、
前記枠に手で握ることが可能な取っ手とを備え、
前記ガイドは、その前後方向の途中に前記移動体の移動を困難なものにする移動困難手段を設け、
前記扉一体型交換ユニットを手前側に引き出して前記移動体が前記移動困難手段に位置しているとき、前記扉一体型交換ユニットの重心が前記ガイドの手前側の前端よりも奥側に位置するように前記移動困難手段を前記ガイドの前後方向の所定位置に形成したことを特徴とする遊技機。
【請求項３】
前記移動困難手段は、前記ガイドから下方に向かって窪んだ窪み部からなることを特徴とする請求項１又は請求項２記載の遊技機。
【請求項４】
前記取っ手は、前記枠の上部に形成されていることを特徴とする請求項１乃至３のいずれか１項に記載の遊技機。
【請求項５】
前記取っ手は、その長手方向が左右方向となるように形成されていることを特徴とする請求項１乃至４のいずれか１項に記載の遊技機。
【請求項６】
前記取っ手は、その長手方向が前後方向となるように形成されていることを特徴とする請求項１乃至４のいずれか１項に記載の遊技機。
【請求項７】
前記取っ手は、前記枠の左右に形成されていることを特徴とする請求項１乃至３のいずれか１項に記載の遊技機。
【請求項８】
前記取っ手は、手で握るための取っ手本体部と、
前記取っ手本体部の両端を前記枠に連結する連結部とを備え、
前記連結部は、前記取っ手本体部を前記連結部の回りに回動可能な回動手段を備えていることを特徴とする請求項１乃至７のいずれか１項に記載の遊技機
【請求項９】
前記ガイドは、前記中板の上面で前記本体キャビネットの奥側に向かって下り傾斜に形成されていることを特徴とする請求項１乃至８のいずれか１項に記載の遊技機。
【発明の詳細な説明】
【０００１】
【発明の属する技術分野】
この発明は、交換ユニット或いは扉一体型交換ユニットの交換作業が容易な遊技機に関するものである。
【０００２】
【従来の技術】
従来、パチンコ機や、スロットマシン等の遊技機を設置している遊技ホールでは、顧客のニーズや他店との競合で優位に立つために、遊技機の製造開発メーカーが開発した斬新なゲーム性をもつ、パチンコ機や、スロットマシンに新台入れ替えと称して、数か月に一度、あるいは、それよりも短いサイクルで交換するのが通例となっており、最近では、このサイクルが更に短くなる傾向にある。
【０００３】
そして、従来の遊技機においては、かかる新台入れ替えで遊技内容を変更する際には、遊技機全体を略まるごと交換しなければならなかった。しかし、遊技ホールにおいて、遊技内容を変更するための新台入れ替えの台交換の際、遊技内容の変更に無関係な部品も多数、同時に交換されることとなり、交換に要する費用がかかるだけでなく、資源の無駄になっていた。
【０００４】
そこで、近年、遊技内容に直接、影響するリールユニット及びこのリールユニットの回転リールの回転駆動等を制御する主基板（主制御装置）を、前扉に固定して、前扉ごと一体に本体キャビネットから着脱自在に形成して、交換可能とする発明がなされている（例えば、特許文献１、図１及び図３参照。）。
さらに、リールユニット及び主基板（主制御装置）を固定した前扉に、ホッパー装置（メダル払出装置）や電源装置を固定して、前扉ごと一体に本体キャビネットから着脱自在に形成して交換可能にする発明がなされている（例えば、特許文献１、図４参照。）。
【０００５】
さらに、近年では、遊技機を、遊技性に関わる部分と、遊技性に直接関わらない部分とに分け、このうち遊技性に関わる部分を交換することにより、全体を略まるごと交換することなく、新しい遊技機で遊技しているかのような印象を与えることができる分離型の遊技機の開発が進められている。具体的には、枠体等の構造用部材に前記リールユニット及び主基板（主制御装置）を設置した交換ユニットを、本体キャビネット内部に着脱自在に形成して、新旧の交換作業を容易にしたスロットマシンに関する技術がある（例えば、特願２００１−１６３５７０号。）。
【０００６】
【特許文献１】
特開平１０−５２５２５号公報（第１図、第３図、第４図）
【０００７】
【発明が解決しようとする課題】
上記した従来のいわゆる、分離型の遊技機では、全国各地の遊技ホールで行われる新台入れ替えにおいて、交換ユニットの交換作業が行われる。すなわち、今まで使用していた古い交換ユニットを本体キャビネットから取り外す作業と、今回、新たに導入する新しい交換ユニットを本体キャビネットへ取り付ける作業とが行われる。かかる交換ユニットの取り外し作業は、交換ユニットの手前側や側面側の枠等の一部を握って、本体キャビネットから、ある程度、引き出して、その後、交換ユニットの枠等の上部等を持ち直して、取り外していた。また、新しい交換ユニットを本体キャビネットに取り付ける際には、上述した手順の逆を行うことにより、新しい交換ユニットの取り付け作業（或いは取り外し作業）を行っていた。これらの交換作業において、交換ユニットの重量が加わらずに手前側に少し引き出す作業（或いは押し込む作業）と、交換ユニットの重量が手に加わって取り外して移動する作業（或いは移動して取り付ける作業）とは、力を加える方向や、荷重が加わる方向が異なる作業であるために交換ユニットの手で掴む位置を変える必要があった。しかし、作業途中、手で掴む位置を変えるために交換ユニットを本体キャビネットからある程度、途中まで引き出した状態にすると、交換ユニットが不安定な状態になった。このため、交換作業中は、絶えず、交換ユニットを手で支えている必要があり、交換作業が大変であるといった問題点があった。
【０００８】
そこで、各請求項にそれぞれ記載された各発明は、上記した従来の技術の有する問題点に鑑みてなされたものであり、その目的とするところは、次の点にある。
（請求項１）
すなわち、請求項１記載の発明は、上記した従来の技術の有する問題点に鑑みてなされたものであり、その目的とするところは、交換ユニットの交換作業を容易なものにすることができるようにした遊技機を提供しようとするものである。
【０００９】
（請求項２）
すなわち、請求項２記載の発明は、上記した従来の技術の有する問題点に鑑みてなされたものであり、その目的とするところは、扉一体型交換ユニットの交換作業を容易なものにすることができるようにした遊技機を提供しようとするものである。
【００１０】
（請求項３）
請求項３記載の発明は、上記した請求項１又は請求項２記載の発明の目的に加え、次の点を目的とする。
すなわち、請求項３記載の発明は、移動体を移動困難手段の位置に一時的に留めておくことができるようにした遊技機を提供しようとするものである。
【００１１】
（請求項４）
請求項４記載の発明は、上記した請求項１乃至３のいずれか１項に記載の発明の目的に加え、次の点を目的とする。
すなわち、請求項４記載の発明は、上方から差し込んだ手で掴むことが容易な取っ手を有する遊技機を提供しようとするものである。
【００１２】
（請求項５）
請求項５記載の発明は、上記した請求項１乃至４のいずれか１項に記載の発明の目的に加え、次の点を目的とする。
すなわち、請求項５記載の発明は、取っ手を握って前後方向や上下方向にへ移動させることが容易な遊技機を提供しようとするものである。
【００１３】
（請求項６）
請求項６記載の発明は、上記した請求項１乃至４のいずれか１項に記載の発明の目的に加え、次の点を目的とする。
すなわち、請求項６記載の発明は、取っ手を握って左右方向や上下方向に移動しやすいようにした遊技機を提供しようとするものである。
【００１４】
（請求項７）
請求項７記載の発明は、上記した請求項１乃至３のいずれか１項に記載の発明の目的に加え、次の点を目的とする。
すなわち、請求項７記載の発明は、枠の側方から手を差し込んで掴むことができて、一人或いは二人でも作業性が良好な取っ手を有する遊技機を提供しようとするものである。
【００１５】
（請求項８）
請求項８記載の発明は、上記した請求項１乃至７のいずれか１項に記載の発明の目的に加え、次の点を目的とする。
すなわち、請求項８記載の発明は、取っ手を使用しない場合は折りたたむことができて、交換作業等の邪魔にならないようにすることが可能な遊技機を提供しようとするものである。
【００１６】
（請求項９）
請求項９記載の発明は、上記した請求項１乃至８のいずれか１項に記載の発明の目的に加え、次の点を目的とする。
すなわち、請求項９記載の発明は、交換ユニット或いは扉一体型交換ユニットの本体キャビネットからの落下を回避可能な遊技機を提供しようとするものである。
【００１７】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【００１８】
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１記載の発明は、次の点を特徴とする。
【００１９】
すなわち、正面側に開口する正面開口部（１１）を有する本体キャビネット（１）と、前記本体キャビネット（１）の高さ方向の途中に位置して前記本体キャビネット（１）を上下に仕切る中板（１２）と、前記本体キャビネット（１）の正面開口部（１１）を開閉自在に塞ぐ前扉（３）と、複数の図柄が表示された回転リール（２３）及びこの回転リール（２３）を回転表示させるための駆動手段を有するリールユニット（２０）とを備えた遊技機（Ｓ）であって、前記リールユニット（２０）は、交換ユニット（２）に組み込まれ、前記中板（１２）は、前記交換ユニット（２）を前記本体キャビネット（１）の奥側内部に案内するためのガイド（８０）を備え、前記交換ユニット（２）は、遊技内容を変更するために前記本体キャビネット（１）に対して交換可能に形成され、且つ、前記交換ユニット（２）の下部に固定されて前記ガイド（８０）に沿って移動可能な移動体（８１）と、前記リールユニット（２０）を装着するための枠（２１）と、前記枠（２１）に手で握ることが可能な取っ手（７１）とを備え、前記ガイド（８０）は、その前後方向の途中に前記移動体（８１）の移動を困難なものにする移動困難手段（９０）を設け、前記交換ユニット（２）を手前側に引き出して前記移動体（８１）が前記移動困難手段（９０）に位置しているとき、前記交換ユニット（２）の重心（９）が前記ガイド（８０）の手前側の前端よりも奥側に位置するように前記移動困難手段（９０）を前記ガイド（８０）の前後方向の所定位置に形成したことを特徴とする。
【００２０】
なお、ここで、「駆動手段」とは、具体的には、例えば、回転リール（２３）を回転駆動させるためのステッピングモーター等の駆動モータを含むものである。
また、ここで、「回転リール（４０）」とあるのは、周囲に複数の図柄を表示したものが、実際に回転するようなものに限定されるものではなく、液晶画面に表示されるようなものも含まれるものである。具体的には、例えば、パチンコ機等の遊技盤面の中央に設けた液晶装置を使用することにより、周囲に複数の図柄を表示した回転リールが回転するような画像を当該液晶装置によって遊技者に向かって表示するものも含まれる。また、ここで、「遊技機（１０）」とは、具体的には、例えば、スロットマシンであるが、上述した回転リール（４０）を有するパチンコ機や、その他の遊技機を含むものである。
【００２１】
また、ここで、「交換ユニット（２）を前記本体キャビネット（１）の奥側内部に案内するためのガイド（８０）」とは、交換ユニット（２）を本体キャビネット（１）の奥側内部に向かって案内することが可能な機能を有しているものであれば良いものであって、具体的には、例えば、交換ユニット（２）がそれに沿って本体キャビネット（１）の奥側内部に向かって摺動可能なレールや、溝等の案内部材であれば良いものを含む。
【００２２】
また、ここで、「交換ユニット（２）は、遊技内容を変更するために前記本体キャビネット（１）に対して交換可能に形成され」とは、具体的には、交換ユニット（２）の枠（２１）の左右両端に鉤状に形成されたフックと、本体キャビネット（１）の左右内面に固定されて、前記フック（３４）を引っかけて固定可能なクリップ（３５）とからなる着脱が容易な固定装置（１０）を備えていることにより、交換ユニット（２）を本体キャビネット（１）から容易に交換することができるようなものを含むものである。なお、ここで、枠（２１）は、全体形状が枠状からなり、主制御装置（２５）や、リールユニット（２２）を固定可能に形成されているものである。また、「遊技内容を変更するため」とは、リールユニット（２０）の回転リール（２３）を、その周囲に配置した図柄が異なるものに変更することにより、遊技内容を変更するようなものを含むものである。
【００２３】
また、ここで、「交換ユニット（２）の下部に固定されて前記ガイド（８０）に沿って移動可能な移動体（８１）」の移動体（８１）とは、ガイド（８０）に沿って移動可能なものであれば良いものであって、具体的には、例えば、ガイド（８０）の上面を回転移動可能なローラーや、ガイド（８０）の上面を摺動可能な摩擦抵抗の小さな樹脂材からなる摺動部材等を含むものである。
【００２４】
また、ここで、「リールユニット（２０）を装着するための枠（２１）」とは、リールユニット（２０）等の部品を本体キャビネット（１）の内部に装着して固定するため、内部にリールユニット（２０）等の部品を固定して一体のものにすることができるような枠状の構造体であれば良いものであって、具体的には、例えば、図６に示すような直方体状の枠状構造体を含むものである。
【００２５】
また、ここで、「移動体（８１）の移動を困難なものにする移動困難手段（９０）」とは、移動体（８１）の移動抵抗を増大可能なもの、すなわち、移動体（８１）を移動させるために必要な力が大きくなるような手段を意味し、移動体（８１）の移動が完全に不可能となるようなものを除くものである。具体的には、例えば、移動困難手段（９０）は、下り斜面（９２）及び上り斜面（９３）を有する窪み部（９１）や、或いは、なめらかな凹状のへこみのようなものを含むものである。また、この移動困難手段（９０）は、必ずしもガイド（８０）の下方側に向かって窪んでいるものに限定されるものではなく、ガイド（８０）の上面から上方に向かって突出する凸部をガイド（８０）の長手方向に対して直角方向に設け、かかる凸部を所定距離だけ離した状態で前後方向に２個、形成したようなものでも良い。この凸部は、移動体（８１）が決して乗り越えられない高さではなく、ある程度の前後方向の力を加えることにより、移動体（８１）が凸部を乗り越えることが可能な高さに設定されているものである。
【００２６】
また、ここで、「前記交換ユニット（２）を手前側に引き出して前記移動体（８１）が前記移動困難手段（９０）に位置しているとき、前記交換ユニット（２）の重心（９）が前記ガイド（８０）の手前側の前端よりも奥側に位置するように前記移動困難手段（９０）を前記ガイド（８０）の前後方向の所定位置に形成した」の「所定位置」とは、移動体（８１）が移動困難手段（９０）の位置にあるとき、交換ユニット（２）の重心（９）がガイド（８０）の手前側の前端よりも本体キャビネット（１）内部の奥側になるような移動困難手段（９０）のガイド（８０）上の前後方向の位置を意味する。すなわち、移動体（８１）が移動困難手段（９０）の位置にあるとき、交換ユニット（２）の重心（９）が、ガイド（８０）の手前側の前端よりも本体キャビネット（１）内部の奥側になるような条件を満たすような位置であれば良いことを意味しているものである。なお、ここで、「手前側」とは、交換作業者が、遊技機（Ｓ）の前に、遊技機（Ｓ）側に向かって面したときの手前側、すなわち正面側を意味する。また、ここで、「奥側」とは、交換作業者が、遊技機（Ｓ）の前に、遊技機（Ｓ）側に向かって面したときの本体キャビネット（１）内部の奥側、すなわち裏板（１８）側を意味する。
【００２７】
（作用）
本発明に係る交換ユニット（２）は、枠（２１）の上部に手で握ることが可能な取っ手（７１）を備えている。このため、交換ユニット（２）の交換作業の際、かかる取っ手（７１）を手で握って持ち上げることができ、また、移動や搬送における持ち運び作業の際、取り扱いに便利である。これにより、交換ユニット（２）の交換作業を容易なものにすることができる。
【００２８】
そして、交換ユニット（２）の下部に固定された移動体（８１）が、中板（１２）のガイド（８０）に沿って移動することにより、交換ユニット（２）をガイド（８０）に沿って本体キャビネット（１）の前後方向にスムーズに移動させることができる。そして、移動困難手段（９０）に移動体（８１）が位置すると、交換ユニット（２）の移動を困難なものにして停止させることができる。そして、移動体（８１）が移動困難手段（９０）に位置している状態において、交換ユニット（２）の重心（９）がガイド（８０）の手前側の前端よりも奥側の位置となるように、移動困難手段（９０）をガイド（８０）の前後方向の所定位置に形成してあるため、移動体（８１）が移動困難手段（９０）に位置している状態では、交換ユニット（２）の重心（９）は、ガイド（８０）の手前側の前端より奥側に有り、交換ユニット（２）の重量は、本体キャビネット（１）の内部のガイド（８０）の手前側の前端より奥側に加わる。これにより、交換ユニット（２）が本体キャビネット（１）内部位置において、安定して支持され、手前側に向かって倒れ落ちることがなく、遊技者は交換ユニット（２）から安心して手を外し、ゆっくりと手の掴み位置を持ち替えることができる。したがって、交換ユニット（２）の交換作業を容易なものにすることができる。
【００２９】
（請求項２）
請求項２記載の発明は、上記した請求項１記載の発明の特徴点に加え、次の点を特徴とする。
すなわち、正面側に開口する正面開口部（１１）を有する本体キャビネット（１）と、前記本体キャビネット（１）の高さ方向の途中に位置して前記本体キャビネット（１）を上下に仕切る中板（１２）と、前記本体キャビネット（１）の正面開口部（１１）の上部を開閉自在に塞ぐ上扉（３０）と、前記本体キャビネット（１）の正面開口部（１１）の下部を開閉自在に塞ぐ下扉（４０）と、複数の図柄が表示された回転リール（２３）及びこの回転リール（２３）を回転表示させるための駆動手段を有するリールユニット（２０）とを備えた遊技機（Ｓ）であって、前記リールユニット（２０）及び前記上扉（３０）は、扉一体型交換ユニット（８）に組み込まれ、前記中板（１２）は、前記扉一体型交換ユニット（８）を前記本体キャビネット（１）の奥側内部に案内するためのガイド（８０）を備え、前記扉一体型交換ユニット（８）は、遊技内容を変更するために前記本体キャビネット（１）に対して交換可能に形成され、且つ、前記扉一体型交換ユニット（８）の下部に固定されて前記ガイド（８０）に沿って移動可能な移動体（８１）と、前記リールユニット（２０）及び前記上扉（３０）を装着するための枠（２１）と、前記枠（２１）に手で握ることが可能な取っ手（７１）とを備え、前記ガイド（８０）は、その前後方向の途中に前記移動体（８１）の移動を困難なものにする移動困難手段（９０）を設け、前記扉一体型交換ユニット（８）を手前側に引き出して前記移動体（８１）が前記移動困難手段（９０）に位置しているとき、前記扉一体型交換ユニット（８）の重心（９）が前記ガイド（８０）の手前側の前端よりも奥側に位置するように前記移動困難手段（９０）を前記ガイド（８０）の前後方向の所定位置に形成したことを特徴とする。
【００３０】
また、ここで、「駆動手段」、「回転リール（４０）」、「遊技機（１０）」は、請求項１の手段で説明したものと同一であるため、説明を省略する。
また、ここで、「扉一体型交換ユニット（８）を前記本体キャビネット（１）の奥側内部に案内するためのガイド（８０）」とは、扉一体型交換ユニット（８）を本体キャビネット（１）の奥側内部に向かって案内することが可能な機能を有しているものであれば良いものであって、具体的には、例えば、扉一体型交換ユニット（８）がそれに沿って本体キャビネット（１）の奥側内部に向かって摺動可能なレールや、溝等の案内部材であれば良いものを含む。
【００３１】
また、ここで、「扉一体型交換ユニット（８）は、遊技内容を変更するために前記本体キャビネット（１）に対して交換可能に形成され」とは、具体的には、扉一体型交換ユニット（８）の枠（２１）の左右両端に鉤状に形成されたフックと、本体キャビネット（１）の左右内面に固定されて、前記フック（３４）を引っかけて固定可能なクリップ（３５）とからなる着脱が容易な固定装置（１０）を備えていることにより、扉一体型交換ユニット（８）を本体キャビネット（１）から容易に交換することができるようなものを含むものである。なお、ここで、枠（２１）は、全体形状が枠状からなり、主制御装置（２５）や、リールユニット（２２）を内部に固定可能に形成され、さらに、枠（２１）の手前側に上扉（３０）を固定可能に形成されているものである。また、「遊技内容を変更するため」とは、リールユニット（２０）の回転リール（２３）を、その周囲に配置した図柄が異なるものに変更することにより、遊技内容を変更するようなものを含むものである。
【００３２】
また、ここで、「扉一体型交換ユニット（８）の下部に固定されて前記ガイド（８０）に沿って移動可能な移動体（８１）」の「移動体（８１）」とは、ガイド（８０）に沿って移動可能なものであれば良いものであって、具体的には、例えば、ガイド（８０）の上面を回転移動可能なローラーや、ガイド（８０）の上面を摺動可能な摩擦抵抗の小さな樹脂材からなる摺動部材等を含むものである。
【００３３】
また、ここで、「前記リールユニット（２０）及び前記上扉（３０）を装着するための枠（２１）」とは、リールユニット（２０）及び上扉（３０）等の部品を本体キャビネット（１）に固定するため、リールユニット（２０）及び上扉（３０）等の部品を固定して一体のものにすることができるような枠状の構造体であれば良いものであって、具体的には、例えば、図６に示すような直方体状の枠状構造体を含むものである。
【００３４】
また、ここで、「移動体（８１）の移動を困難なものにする移動困難手段（９０）」とは、請求項１の手段で説明したものと同一であるため説明を省略する。
また、ここで、「前記扉一体型交換ユニット（８）を手前側に引き出して前記移動体（８１）が前記移動困難手段（９０）に位置しているとき、前記扉一体型交換ユニット（８）の重心（９）が前記ガイド（８０）の手前側の前端よりも奥側に位置するように前記移動困難手段（９０）を前記ガイド（８０）の前後方向の所定位置に形成した」の「所定位置」とは、移動体（８１）が移動困難手段（９０）の位置にあるとき、扉一体型交換ユニット（８）の重心（９）がガイド（８０）の手前側の前端よりも本体キャビネット（１）内部の奥側になるような移動困難手段（９０）のガイド（８０）上の前後方向の位置を意味する。すなわち、移動体（８１）が移動困難手段（９０）の位置にあるとき、扉一体型交換ユニット（８）の重心（９）が、ガイド（８０）の手前側の前端よりも本体キャビネット（１）内部の奥側になるような条件を満たすような位置であれば良いことを意味しているものである。なお、ここで、「手前側」及び「奥側」とは、請求項１の手段で説明したものと同一である。
【００３５】
（作用）
本発明に係る扉一体型交換ユニット（８）は、枠（２１）の上部に手で握ることが可能な取っ手（７１）を備えている。このため、扉一体型交換ユニット（８）の交換作業の際、かかる取っ手（７１）を手で握って持ち上げることができ、また、移動や搬送における持ち運び作業の際、取り扱いに便利である。これにより、扉一体型交換ユニット（８）の交換作業を容易なものにすることができる。
【００３６】
そして、扉一体型交換ユニット（８）の下部に固定された移動体（８１）が、中板（１２）のガイド（８０）に沿って移動することにより、扉一体型交換ユニット（８）をガイド（８０）に沿って本体キャビネット（１）の前後方向にスムーズに移動させることができる。そして、移動困難手段（９０）に移動体（８１）が位置すると、扉一体型交換ユニット（８）の移動を困難なものにして停止させることができる。そして、移動体（８１）が移動困難手段（９０）に位置している状態において、扉一体型交換ユニット（８）の重心（９）がガイド（８０）の手前側の前端よりも奥側の位置となるように、移動困難手段（９０）をガイド（８０）の前後方向の所定位置に形成してある。このため、移動体（８１）が移動困難手段（９０）に位置している状態では、扉一体型交換ユニット（８）の重心（９）は、ガイド（８０）の手前側の前端より奥側に有り、扉一体型交換ユニット（８）の重量は、本体キャビネット（１）の内部のガイド（８０）の手前側の前端より奥側に加わる。これにより、扉一体型交換ユニット（８）が本体キャビネット（１）内部位置において、安定して支持され、手前側に向かって倒れ落ちることがなく、遊技者は扉一体型交換ユニット（８）から安心して手を外し、ゆっくりと手の掴み位置を持ち替えることができる。したがって、扉一体型交換ユニット（８）の交換作業を容易なものにすることができる。
【００３７】
（請求項３）
請求項３記載の発明は、上記した請求項１又は請求項２記載の発明の特徴点に加え、次の点を特徴とする。
すなわち、前記移動困難手段（９０）は、前記ガイド（８０）から下方に向かって窪んだ窪み部（９１）からなることを特徴とする。
【００３８】
（作用）
本発明は、移動困難手段（９０）が、ガイド（８０）から下方に向かって窪んだ窪み部（９１）からなる。そして、移動体（８１）がガイド（８０）に沿って移動して、かかる窪み部（９１）に落ち込むことにより、移動体（８１）を窪み部（９１）の内部に留めておくことができる。これにより、移動体（８１）を移動困難手段（９０）である窪み部（９１）の位置に留めておくことができ、交換ユニット（２）或いは扉一体型交換ユニット（８）を所定位置に留めておくことが可能となる。
【００３９】
そして、移動体（８１）を窪み部（９１）の内部から押し上げる程度の力を加えることにより、移動体（８１）を窪み部（９１）から脱出させることができ、交換ユニット（２）或いは扉一体型交換ユニット（８）を再度、移動させることができる。
上述したように、移動体（８１）を移動困難手段（９０）の位置に一時的に留めておくことができる。
【００４０】
（請求項４）
請求項４記載の発明は、上記した請求項１乃至３のいずれか１項に記載の発明の特徴点に加え、次の点を特徴とする。
すなわち、前記取っ手（７１）は、前記枠（２１）の上部に形成されていることを特徴とする。
【００４１】
（作用）
本発明は、取っ手（７１）が枠（２１）の上部に形成されているため、上方から差し込んだ手で、容易に取っ手（７１）を掴むことができる。
（請求項５）
請求項５記載の発明は、上記した請求項１乃至４のいずれか１項に記載の発明の特徴点に加え、次の点を特徴とする。
【００４２】
すなわち、前記取っ手（７１）は、その長手方向が左右方向となるように形成されていることを特徴とする。
なお、ここで、「取っ手（７１）は、その長手方向が左右方向となる」とは、例えば、手で握る円柱棒状の取っ手本体部（７２）の長尺方向（円柱の軸方向）が左右方向に配置されているものである。
【００４３】
（作用）
本発明は、取っ手（７１）の長手方向が左右方向となっているため、かかる取っ手（７１）を本体キャビネット（１）の正面側から握ると、取っ手（７１）を前後方向に引っ張り、或いは、押し込む場合、力の方向と、手で掴む取っ手（７１）の軸方向とが直交する。これは人の手の構造を考えても人間工学的に、掴みやすく持ちやすい方向であり、前後方向への移動を容易なものにする。
【００４４】
また、かかる取っ手（７１）を本体キャビネット（１）の上方から手を差し込んで握って、取っ手（７１）を上下方向に持ち上げ、或いは、持ち下げるような場合、力の方向と、手で掴む取っ手（７１）の軸方向とが直交する。これも人の手の構造から人間工学的に、掴みやすく持ちやすい方向であり、上下方向への移動を容易なものにする。
【００４５】
このように、交換ユニット（２）や、扉一体型交換ユニット（８）の取っ手（７１）を手で握って、交換ユニット（２）や扉一体型交換ユニット（８）の前後方向や上下方向へ移動させることを容易なものにすることができる。
（請求項６）
請求項６記載の発明は、上記した請求項１乃至４のいずれか１項に記載の発明の特徴点に加え、次の点を特徴とする。
【００４６】
すなわち、前記取っ手（７１）は、その長手方向が前後方向となるように形成されていることを特徴とする。
なお、ここで、「取っ手（７１）は、その長手方向が前後方向となる」とは、例えば、手で握る円柱棒状の取っ手本体部（７２）が前後方向に長尺方向（円柱の軸方向）が配置されているようなものを含むものである。
【００４７】
（作用）
本発明は、取っ手（７１）の長手方向が前後方向となっているため、かかる取っ手（７１）を本体キャビネット（１）の上方から手を差し込んで握って、取っ手（７１）を左右方向に移動させる場合、移動方向である力の方向と、手で掴む取っ手（７１）の軸方向とが直交する。これは人の手の構造を考えても人間工学的に、掴みやすく持ちやすい方向であり、左右方向への移動を容易なものにする。
【００４８】
また、かかる取っ手（７１）を本体キャビネット（１）の上方から手を差し込んで握って、取っ手（７１）を上下方向に持ち上げ、或いは、持ち下げるような場合、力の方向と、手で掴む取っ手（７１）の軸方向とが直交する。これも人の手の構造から人間工学的に、掴みやすく持ちやすい方向であり、上下方向への移動を容易なものにする。
【００４９】
このように、交換ユニット（２）や、扉一体型交換ユニット（８）の取っ手（７１）を手で握って、交換ユニット（２）や扉一体型交換ユニット（８）の左右方向や上下方向へ移動させることを容易なものにすることができる。
（請求項７）
請求項７記載の発明は、上記した請求項１乃至３のいずれか１項に記載の発明の特徴点に加え、次の点を特徴とする。
【００５０】
すなわち、前記取っ手（７１）は、前記枠（２１）の左右に形成されていることを特徴とする。
（作用）
本発明は、取っ手（７１）が枠（２１）の左右に形成されているため、一人の交換作業者が交換ユニット（２）或いは扉一体型交換ユニット（８）を持ち運ぶような場合、左右の手を交換ユニット（２）或いは扉一体型交換ユニット（８）の左右側方に回して、自分の正面で抱えるようにして持ち運ぶことができる。また、二人の交換作業者が交換ユニット（２）或いは扉一体型交換ユニット（８）を持ち運ぶような場合、交換ユニット（２）或いは扉一体型交換ユニット（８）の左右に各交換作業者が一人ずつ立って、左側の取っ手（７１）を左側の交換作業者が手で持ち、右側の取っ手（７１）を右側の交換作業が手で持つことにより、二人で１台の交換ユニット（２）或いは扉一体型交換ユニット（８）を持ち運ぶことができる。このように、側方から手を差し込んで取っ手（７１）を掴むことができて、一人或いは二人でも交換作業性を良好なものにすることができる。
【００５１】
（請求項８）
請求項８記載の発明は、上記した請求項１乃至７のいずれか１項に記載の発明の特徴点に加え、次の点を特徴とする。
すなわち、前記取っ手（７１）は、手で握るための取っ手本体部（７２）と、前記取っ手本体部（７２）の両端を前記枠（２１）に連結する連結部（７３）とを備え、前記連結部（７３）は、前記取っ手本体部（７２）を前記連結部（７３）の回りに回動可能な回動手段（７４）を備えていることを特徴とする。
【００５２】
（作用）
本発明は、取っ手本体部（７２）を連結部（７３）の回りに回動させることができる。これにより、取っ手（７１）を使用する場合は、取っ手本体部（７２）を上方に向かって立設させることにより、手で取っ手本体部（７２）をつかむのに便利である。そして、取っ手（７１）を使用しない場合には、取っ手本体部（７２）を横に倒して折りたたむことができる。これにより、取っ手（７１）の上方の空間を開けることができて、交換作業等の邪魔にならないようにすることができる。
【００５３】
（請求項９）
請求項９記載の発明は、上記した請求項１乃至８のいずれか１項に記載の発明の特徴点に加え、次の点を特徴とする。
すなわち、前記ガイド（８０）は、前記中板（１２）の上面で前記本体キャビネット（１）の奥側に向かって下り傾斜に形成されていることを特徴とする。
【００５４】
（作用）
本発明は、ガイド（８０）が本体キャビネット（１）の奥側に向かって下り傾斜に形成されているため、交換ユニット（２）或いは扉一体型交換ユニット（８）がガイド（８０）上の移動困難手段（９０）に位置しているような場合、交換ユニット（２）等が何らかの契機により移動困難手段（９０）から移動するようなことがあっても、本体キャビネット（１）の正面側へ誤って移動して手前側から落下することを回避することができる。
【００５５】
【発明の実施の形態】
（第一の実施の形態）
（図面の説明）
図１乃至図９は、本発明の第一の実施の形態を示すものである。
図１は扉一体型交換ユニットの移動体が移動困難手段の位置にある場合、交換作業者が取っ手を手で掴んでいる状態の外観側面図、図２は扉一体型交換ユニットの移動体が移動困難手段の位置にある場合、交換作業者が扉一体型交換ユニットの正面側を掴んでいる状態の外観側面図、図３は遊技機の外観側面図、図４及び図５は遊技機の分解斜視図、図６は交換ユニットの外観斜視図、図７は取っ手の外観斜視図、図８はガイド及び移動体の概略斜視図、図９はガイド及び移動体の概略模式図であって、（ａ）は移動体が移動困難手段よりも手前側に位置するときの概略模式図、（ｂ）は移動体が移動困難手段に位置するときの概略模式図、（ｃ）は移動体が移動困難手段よりも奥側に位置するときの概略模式図をそれぞれ示す。
【００５６】
本実施の形態に係る遊技機Ｓは、具体的には、スロットマシンであって、図４及び図５に示すように、大きく分けて、正面側に開口する正面開口部１１を有する本体キャビネット１、本体キャビネット１内部に着脱自在に設けられる交換ユニット２、本体キャビネット１の正面開口部１１を開閉可能に塞ぐための前扉３とから構成されている。そして、本体キャビネット１の正面開口部１１は、本体キャビネット１の上部に開口する開口上部１３と、本体キャビネット１の下部に開口する開口下部１４とを備えている。そして、前記前扉３は、本体キャビネット１の開口上部１３を開閉可能に塞ぐための上扉３０と、本体キャビネット１の開口下部１４を開閉可能に塞ぐための下扉４０とを備えている。そして、交換ユニット２の手前側には、上扉３０が取り付けられてあり、この交換ユニット２及び上扉３０により、扉一体型交換ユニット８を形成している。すなわち、通常のいわゆる新台入れ替えの際には、交換ユニット２及び上扉３０が一体となった扉一体型交換ユニット８毎に入れ替えることができるものである。
【００５７】
（本体キャビネット１）
上記本体キャビネット１は、全体形状が箱状であって、図４に示すように、底板１５、側板１６、天板１７及び裏板１８からなる正面側に開口する筺体である。そして、この本体キャビネット１の高さ方向略中央部には、二つの側板１６の間に水平方向に中板１２が渡してある。そして、この中板１２は、扉一体型交換ユニット８を本体キャビネット１の奥側内部に案内するためのガイド８０を左右側部に備えている。また、中板１２は、金属板からなるものである。そして、中板１２の前端縁には上方に向かって９０度折り曲げられた立ち上がり片９４が形成されている。そして、この中板１２の下面には電源装置４が設けられ、底板１５には払い出し装置５が固定されている。
【００５８】
ここで、電源装置４は、中板１２の下面に、取り付け板等を介して取り付けられており、遊技店側が種々の設定を行うためのスイッチ等、店操作部を有している。
上記電源装置４及び払い出し装置５は、交換ユニット２の交換に際し、必ずしも交換する必要のないものであり、交換時には設置されたままにしておけるようになっているものである。
【００５９】
また、側板１６の正面左側の下部には、前記下扉４０を係合させ、回転自在に支持するための本体係合部６２が、上下方向に間隔をおいて二つ設けられている。
さらに、本体係合部６２の対向側の側板１６には、下扉４０を閉めた際、下扉４０をロックするための突出片６９（図３）が、上下方向に間隔をおいて二つ設けられている。
【００６０】
（ガイド８０）
上記ガイド８０は、扉一体型交換ユニット８を本体キャビネット１の奥側内部に案内するためのものである。このガイド８０は、図４に示すように中板１２の左右に位置して、前号方向に形成された帯板レール状のものであって、交換ユニット２の下部に配置された移動体８１としてローラーが回転移動可能なものである。そして、この左右のガイド８０は、その前後方向の途中に移動体８１としてのローラーの回転移動を困難なものにする移動困難手段９０を設けている。この移動困難手段９０は、ガイド８０から下方に向かって窪んだ窪み部９１からなるものである。この窪み部９１は、図８に示すように、奥側から手前側に下方に向かって下り斜面となる奥側斜面９２と、この奥側斜面９２の手前側の最下端から手前側に上方に向かって上り斜面となる手前側斜面９３とから形成されている。すなわち、窪み部９１は、奥側斜面９２及び手前側斜面９３により縦断面形状が略Ｖ字状に形成されているものである。そして、この窪み部９１は、図９の（ｂ）に示すように、交換ユニット２の移動体８１としてのローラーの略下半分が内部に入り込むような寸法形状に形成されている。かかる窪み部９１は、左右のガイド８０のそれぞれの前後方向の同位置に１個ずつ形成されている。
【００６１】
この窪み部９１は、移動体８１がガイド８０に沿って移動して、かかる窪み部９１に落ち込むことにより、移動体８１を窪み部９１の内部に一時的に留めておくことができ、これにより、扉一体型交換ユニット８を所定位置に留めておくことができる。そして、移動体８１を窪み部９１の内部から押し上げる程度の力を加えることにより、移動体８１を窪み部９１から脱出させることができ、扉一体型交換ユニット８を再度、ガイド８０上で移動させることができる。このように、移動体８１を窪み部９１の位置に一時的に留めておくことができる。
【００６２】
前記窪み部９１のガイド８０の前後方向における形成位置は、この窪み部９１に扉一体型交換ユニット８の移動体８１が入り込んだ状態で、扉一体型交換ユニット８がガイド８０の前端よりも奥側に自重によって留まり、扉一体型交換ユニット８がガイド８０から手前側に向かって倒れて落ちないような位置に形成されている。具体的には、扉一体型交換ユニット８をガイド８０に沿って手前側に引き出して移動体８１が移動困難手段９０としての窪み部９１の内部に位置しているとき、扉一体型交換ユニット８の重心９がガイド８０の手前側の前端よりも奥側に位置するような位置関係となる。そして、かかる位置関係となるように移動困難手段９０としての窪み部９１が、ガイド８０の前後方向の所定位置に形成されている。すなわち、図９（ｂ）に示すように、移動体８１としてのローラーがガイド８０上の移動困難手段９０としての窪み部９１の内部に嵌り込んでいる状態のときに、扉一体型交換ユニット８の重心９が、ガイド８０の前端（中板１２の立ち上がり片９４が形成されている方）よりも本体キャビネット１の奥側に位置するように設定されているものである。これは、移動体８１が窪み部９１に嵌り込んだ図１及び図２に示すような状態であって、扉一体型交換ユニット８の重心９は、ガイド８０の前端よりも奥側に位置することにより、扉一体型交換ユニット８は、交換作業者が手で支持することなく、扉一体型交換ユニット８の自重により本体キャビネット１の内部に安定した状態で保持されるものである。
【００６３】
（扉一体型交換ユニット８）
上記扉一体型交換ユニット８は、遊技ホールにおける、いわゆる新台入れ替えの際、遊技内容を変更するために本体キャビネット１に対して交換可能に形成されているものである。この扉一体型交換ユニット８は、交換ユニット２と、この交換ユニット２の手前側に開閉可能に取り付けられた上扉３０とから形成されているものである。この交換ユニット２及び上扉３０は、両者が一体となった状態で、本体キャビネット１から取り外し、また、取り付けることができるように形成されている。なお、交換ユニット２から上扉３０を取り外せば、交換ユニット２だけの取り付けや、取り外しも可能となるように形成されている。
【００６４】
上記扉一体型交換ユニット８の交換ユニット２は、固定装置１０を介して本体キャビネット１に着脱自在に取り付けられているものである。この固定装置１０は、交換ユニット２の枠２１の左右両端に鉤状に形成されたフック３４と、本体キャビネット１の左右内面に固定されて、前記フック３４を引っかけて固定可能なクリップ３５とからなる着脱が容易なものである。
【００６５】
上記扉一体型交換ユニット８の交換ユニット２は、リールユニット２０等の部品を装着するための四角枠状の部材を組み合わせた枠２１と、この枠２１の上部に位置してリールユニット２０の上方を覆う上板７０と、枠２１の上部に位置して上方から手で握ることが可能な取っ手７１とを備えている。また、扉一体型交換ユニット８は、その下部に固定されてガイド８０に沿って移動可能な移動体８１を備えている。具体的には、移動体８１は、扉一体型交換ユニット８の交換ユニット２の奥側左右の下部に回転可能な円板状の回転ローラーからなるものである。
【００６６】
前記扉一体型交換ユニット８の交換ユニット２は、前記枠２１の下部に固定されたリールユニット２２と、枠２１の上部奥側に固定された基板ユニット２４とを備えている。
ここで、リールユニット２２は、周囲に複数の図柄を表示した３個の回転リール２３と、特に図示しないが、それぞれの回転リール２３を回転させるための駆動モータを有している。また、前記基板ユニット２４は、回転リール２３の回転等を制御するための主制御装置２５が透明樹脂からなる四角箱状の基板ケース２６の内部に収納されているものである。
【００６７】
前記枠２１の正面左側の縦枠には、前記上扉３０を回転自在に係合するための枠体係合部６０が、上下方向に間隔をおいて二つ設けられている。
さらに、枠２１の正面右側の縦枠には、上扉３０を閉めた際、上扉３０をロックするための突出片６９（図５）が、上下方向に間隔をおいて二つ設けられている。このように、枠２１の左側の枠体係合部６０と、枠２１の右側の突出片６９とにより、上扉３０が枠２１に回動可能に固定され、両者を一体のものにすることができる。
【００６８】
また、前記枠２１の正面下端の横枠には、下方に向かって折れ曲がって、下方に向かって突出した状態の折れ曲がり片９５が形成されている。この折れ曲がり片９５の裏面は、中板１２の立ち上がり片９４の前面と当接することにより、扉一体型交換ユニット８の前後方向の位置決めが決定される。
（上板７０）
上記上板７０は、枠２１の上部に設けられて、リールユニット２０の上方を覆っているものである。具体的には、上板７０は、枠２１の高さ方向途中の横方向に渡されるように枠２１に固定されているものである。この上板７０は、リールユニット２０の上方を覆うような位置に固定されているものである。この上板７０は、その側端及び後ろ側の端部において、複数個のねじ及びボルトからなる締結部材により、枠２１にしっかりと固定されているものである。なお、この上板７０は、金属性の板状の板状部材からなり、交換ユニット２の全体の重量が加わっても変形しないような強度を有している。そして、この上板７０の上面には、折りたたみ可能な取っ手７１が形成されている。
【００６９】
（取っ手７１）
上記取っ手７１は、枠２１の上部に設けられて、交換ユニット２の交換作業者が上方から或いは前方から手を差し込んで握ることが可能なものである。具体的には、取っ手７１は、上板７０の上面の前後方向の略中央付近に、左右の横方向に把持可能な棒状のものが形成されているものである。さらに、具体的には、取っ手７１は、交換作業者が作業中に、上方から或いは前方から差し込んだ手で握るための取っ手本体部７２と、この取っ手本体部７２の両端を上板７０に連結する連結部７３とを備えている。
【００７０】
前記取っ手本体部７２は、手で掴むことが可能な円柱棒状であって、横方向に渡された金属性からなる握り棒７６と、この握り棒７６の左右両端を左右の連結部７３にそれぞれ繋げるための金属性からなる短尺板状の支持片７７とを備えている。すなわち、１本の握り棒７６と、その両端から延びる２本の支持片７７とにより、取っ手本体部７２は、その全体形状が略コ字状に形成されている。
【００７１】
前記連結部７３は、取っ手本体部７２を連結部７３の回りに回動可能な回動手段７４を備えている。前記連結部７３は、２枚の短尺片の間に、支持片７７が回動可能に挟み込まれている構造を有している。そして、前記回動手段７４は、連結部７３及び支持片７７を同一中心軸により貫通するピン孔７８と、このピン孔７８に差し込まれた回動ピン７５とから形成されているものである。取っ手本体部７２の支持片７７は、このピン７５を回転の中心軸として、前後方向に１８０度、回動可能となるように形成されている。
【００７２】
なお、回動手段７４は、取っ手本体部７２を手前側若しくは奥側のいずれか一方側に向かって、回転させるような力を加えることが可能なバネ等の弾性付与部材を備えても良いものである。すなわち、渦巻きバネや、コイル等の弾性付与部材を使用して、常時、取っ手本体部７２を手前側或いは奥側に向かって回転する方向に力を加えるものである。これにより、交換ユニット２を持ち上げるときは、取っ手本体部７２を手で掴んで天板１７から鉛直方向に立設させることができ、一方、取っ手本体部７２を手で持たないときは、弾性付与部材の弾性復元力により、取っ手本体部７２を上板７０の上面に沿って自動的に倒すことができて、取っ手７１を自動的に折りたたむことができる。したがって、交換ユニット２の上方での電気接続コードの結線作業等において、作業者が作業に邪魔な取っ手７１を折りたたむという工程を省くことができる。
【００７３】
（上扉３０）
上記上扉３０は、扉一体型交換ユニット８を構成する部品の一つであり、交換ユニット２の枠２１に回転自在かつロック可能に形成されている板状の扉である。そして、上扉３０は、略中央部に前記回転リール２３の図柄を正面側から見ることができる図柄表示窓３１を有し、周囲に飾り部３３が設けられ、種々の表示を行うための表示装置３２が設けられているものである。
【００７４】
ここで、前記飾り部３３は、他のランプ等により形成しても良く、入賞の報知その他の演出時にランプが点滅するように形成してもよい。また、前記表示装置３２は、７セグメントＬＥＤ等により数字を表示するものや、特に図示しないが、画像を表示するための液晶表示装置やＣＲＴなどとしてもよいものである。
さらに、図５に示すように、上扉３０の左側の裏面には、前記枠体係合部６０に係合可能な上扉係合部６１が上下方向に間隔をおいて二つ設けられている。そして、上扉３０の右側の裏面には、扉ロック機構７が設けられている。そして、上扉３０の裏面上部の左右には、種々の音声を出力するためのスピーカ４９が設けられている。
【００７５】
（下扉４０）
上記下扉４０は、本体キャビネット１の開口下部１４を塞ぐための、上扉３０よりも幅厚の扉であり、本体キャビネット１の側板１６に回転自在かつロック可能に形成されているものである。
前記下扉４０の上部は、遊技機Ｓを作動させるための操作部４１となっており、下扉４０の上面は、閉扉時においては、上扉３０よりも前側に突出するようになっている。また、下部には払い出されたメダルを溜めておくための箱状のメダル受け４３が形成されており、下扉４０の略中央部には、遊技内容その他の案内表示をするための前パネル５０が嵌め込まれている。
【００７６】
前記操作部４１としては、下扉４０の上面右端にはメダル投入口４２と、上面左側に設けられたベットスイッチと、正面側にはレバー式のスタートスイッチと、ボタン式のストップスイッチと、鍵穴４４とが設けられている。なお、ベットスイッチとは、貯留メダルをメダル投入に代えるためのものであり、スタートスイッチ及びストップスイッチは、回転リール２３の回転を開始及び停止させるためのものである。また、鍵穴４４は、前扉３を解錠するためのものであり、この穴に所定の鍵を差し込んで回すと、下扉４０の扉ロック機構７のロックが解除されるものである。
【００７７】
さらに、図５に示すように、下扉４０の裏面側には、前記メダル投入口４２から投入された遊技メダルを誘導しながら遊技メダルの正偽を判断するためのメダルセレクター４８が設けられている。
また、下扉４０の左側の裏面には、前記本体係合部６２と係合可能な下扉係合部６３が上下方向に間隔をおいて二つ設けられている。そして、下扉４０の右側の裏面には、本体キャビネット１の突出片６９にロック可能なアンカー状のものを有する扉ロック機構７が設けられている。
【００７８】
（遊技機Ｓの交換手順）
以上のように構成されたスロットマシンからなる遊技機Ｓについて、遊技内容変更のための台交換は、以下のように行うことができる。
本実施の形態に係る遊技機Ｓは、上扉３０及び交換ユニット２からなる扉一体型交換ユニット８を取り替えることができる。すなわち、下扉４０を開けてから上扉３０の扉ロック機構７のロックを解除して、上扉３０を開く、そして、本体キャビネット１の左右内部のクリップ３５をフック３４から外して固定装置１０のロックを解除する。そして、開いていた上扉３０を再度、本体キャビネット１の開口上部１３側に向かって閉じる。これにより、扉ロック機構７が作動して上扉３０は交換ユニット２の手前側に固定される。そして、その状態から交換作業者は図２に示すように上扉３０の手前側の正面部、側部或いは上部等を持って、扉一体型交換ユニット８を手前側に僅かに移動させる。そして、移動体８１も、扉一体型交換ユニット８の移動にともなって手前側に移動して、当初、図９の（ｃ）の位置から、図９の（ｂ）の位置まで移動する。そして、移動体８１が移動困難手段９０である窪み部９１の内部に入り込んで、扉一体型交換ユニット８は手前側への移動を一時停止することとなる。そして、かかる移動体８１が移動困難手段９０である窪み部９１の内部に位置しているとき、図９（ｂ）や図２に示すように、扉一体型交換ユニット８の重心９は、ガイド８０の手前側の前端よりも奥側に位置する。すなわち、扉一体型交換ユニット８の重心９は、本体キャビネット１のガイド８０を設けた位置の内部にあることとなり、交換作業者が扉一体型交換ユニット８を支持している手を外しても、かかる状態において扉一体型交換ユニット８は手前側に向かって倒れることなく、安定した状態で停止している状態となる。このように移動体８１が移動困難手段９０の位置にあるとき、交換作業者は、扉一体型交換ユニット８の上扉３０を支持していた手を一旦、外して、フリーの状態にして、図１に示すように、一方の手を扉一体型交換ユニット８と本体キャビネット１との間の上方から手を差し込んで、取っ手７１を掴むことができる。その際、もう一方の手は、扉一体型交換ユニット８の上扉３０の下端を持って支持することができる。このように交換作業者は、手を持ち替えた後、さらに、手前側に向かって扉一体型交換ユニット８を引く。これにより、移動体８１が移動困難手段９０の窪み部９１から手前側斜面９３を上って、図９（ａ）に示すように扉一体型交換ユニット８が手前側に向かって移動を開始する。そして、さらに、交換作業者が扉一体型交換ユニット８を手前側に向かって引っ張ることにより、扉一体型交換ユニット８を本体キャビネット１の開口上部１３から取り外すことができる。上述した手順で、いわゆる新台入れ替えの際、古い扉一体型交換ユニット８を本体キャビネット１から取り外すことができる。
【００７９】
そして、新たな扉一体型交換ユニット８を、上述した手順と逆に行うことにより、扉一体型交換ユニット８を本体キャビネット１内部に装着することができる。具体的には、図１に示すように交換作業者は、上方から差し込んだ手で取っ手７１を握った状態で、扉一体型交換ユニット８を本体キャビネット１の開口上部１３に差し込む。そして、その状態で移動体８１が移動困難手段９０の窪み部９１に入り込むまで、扉一体型交換ユニット８を本体キャビネット１の奥側に向かって押し込む。そして、図９（ｂ）及び図１に示すように、移動体８１が移動困難手段９０の窪み部９１に入り込んだ状態において、扉一体型交換ユニット８の重心９は、ガイド８０の手前側の前端よりも奥側に位置する。かかる場合、交換作業者が手を外しても、安定した状態で、本体キャビネット１の内部に一時的に留まった状態となる。そして、交換作業者は、このように移動体８１が移動困難手段９０の位置にあるとき、図１に示すような取っ手７１を握っていた手を引き抜き、図２に示すように、扉一体型交換ユニット８の手前側の正面を握って、扉一体型交換ユニット８を本体キャビネット１の奥側に向かって押し込む。これにより、移動体８１は、移動困難手段９０の窪み部９１の奥側斜面９２を上って、扉一体型交換ユニット８は再度、移動を開始する。そして、扉一体型交換ユニット８は、奥側に移動して、枠２１の折れ曲がり片９５が、中板１２の立ち上がり片９４に当接することにより、奥側への移動を停止する。なお、上述した扉一体型交換ユニット８の交換作業中、ガイド８０が奥側に向かって下り傾斜に形成されているため、移動体８１が移動困難手段９０の窪み部９１に入り込んだ状態において、扉一体型交換ユニット８に手や体等が触れて、窪み部９１から移動体８１が外れるようなことがあっても、扉一体型交換ユニット８は、下り傾斜のガイド８０に沿って奥側に移動するため、扉一体型交換ユニット８が手前側に移動して扉一体型交換ユニット８が手前側に向かって倒れて落下するようなことはない。
【００８０】
なお、上述した交換作業において、扉一体型交換ユニット８の交換作業の前、或いは、交換作業の後に、上扉３０を取り外すことにより、上扉３０を外した状態の交換ユニット２だけをいわゆる新台入れ替えの際、交換することができる。そして、本実施の形態に係る扉一体型交換ユニット８は、上扉３０を取り外して交換ユニット２だけの状態となっていても、移動体８１が移動困難手段９０の窪み部９１に入り込んだ状態で、上扉３０が無い分、交換ユニット２の重心９は、扉一体型交換ユニット８の重心９より、奥側に移動した位置となる。このため、上扉３０が無い、交換ユニット２だけの状態であっても、移動体８１が窪み部９１に入った位置において、交換ユニット２を安定した状態で本体キャビネット１の内部に留めることが可能である。
【００８１】
（作用及び効果）
本実施の形態に係る遊技機Ｓの扉一体型交換ユニット８は、交換作業の際、取っ手７１を手で握って持ち上げることができて、取り扱いに便利であり、扉一体型交換ユニット８の交換作業を容易なものにすることができる。
そして、扉一体型交換ユニット８の交換作業において、移動体８１及びガイド８０が形成されているため、スムーズに移動させることができる。
【００８２】
そして、移動体８１が移動困難手段９０に位置している状態では、扉一体型交換ユニット８の重心９は、ガイド８０の手前側の前端より奥側に有り、扉一体型交換ユニット８の重量は、本体キャビネット１の内部のガイド８０の手前側の前端より奥側に加わる。これにより、扉一体型交換ユニット８が本体キャビネット１内部位置において、安定して支持され、手前側に向かって倒れ落ちることがなく、遊技者は扉一体型交換ユニット８から安心して手を外し、ゆっくりと手の掴み位置を持ち替えることができる。したがって、扉一体型交換ユニット８の交換作業を容易なものにすることができる。
【００８３】
そして、本実施の形態に係る遊技機Ｓは、取っ手７１が枠２１の上部に形成されているため、上方から差し込んだ手で、容易に取っ手７１を掴むことができる。
そして、本実施の形態に係る遊技機Ｓは、取っ手７１の長手方向が左右方向となっているため、かかる取っ手７１を本体キャビネット１の正面側から握ると、取っ手７１を前後方向に引っ張り、或いは、押し込む場合、力の方向と、手で掴む取っ手７１の軸方向とが直交する関係となる。これは人の手の構造を考えても人間工学的に、掴みやすく持ちやすい方向であり、前後方向への移動を容易なものにする。
【００８４】
また、かかる取っ手７１を本体キャビネット１の上方から手を差し込んで握っても、同様の関係となるため、上下方向への移動を容易なものにする。このように、扉一体型交換ユニット８の前後方向や上下方向への移動を容易なものにする。
なお、本実施の形態に係る遊技機Ｓの取っ手７１は、その長手方向が左右方向となるように形成されていたが、特にこの方向に限定されることはなく、例えば、取っ手７１の長手方向が前後方向となるように形成しても良いものである。すなわち、円柱棒状の握り棒７６の中心軸が前後方向となるようなものである。このような場合においても、取っ手７１を移動させる場合、移動方向である力の方向と、手で掴む取っ手７１の軸方向とが直交するような方向、すなわち、扉一体型交換ユニット８の左右方向への移動と、上下方向への移動とを容易なものにすることができる。
【００８５】
本実施の形態に係る遊技機Ｓは、取っ手本体部７２を連結部７３の回りに回動させることができる。これにより、取っ手７１を使用する場合は、取っ手本体部７２を上方に向かって立設させることにより、手で取っ手本体部７２をつかむのに便利である。そして、取っ手７１を使用しない場合には、取っ手本体部７２を横に倒して折りたたむことができる。これにより、取っ手７１の上方の空間を開けることができて、交換作業等の邪魔にならないようにすることができる。
【００８６】
本実施の形態に係る交換ユニット２は、枠２１の上部にリールユニット６０の上方を覆う面状の面状部材からなる上板７０を備えている。このため、リールユニット６０の上方から自重により落下してくる小さな埃が、リールユニット２０の内部に降り積もることを回避することができる。また、交換作業の際、リールユニット２０の上方で接続作業を行うような場合、接続作業における電気接続コード等の破片が、下方に落下して、リールユニット２０の内部に入りこむことを回避することができる。
【００８７】
さらに、上板７０がリールユニット２０の上方を覆っているため、交換作業の際や、また、通常使用時においても、何らかの契機により、電気接続コードが下方のリールユニット２０に向かって垂れ下がって、回転リール２３に絡むようなことを回避することができる。これにより、リールユニット２０の回転リール２３の回転動作の不良発生を抑えることができ、また、埃によるメインテナンスも頻繁にする必要が無く、維持管理を容易にすることができる。
【００８８】
（第二の実施の形態）
図１０及び図１１は、本発明に係る第二の実施の形態であって、図１０は交換ユニットの移動体が移動困難手段の位置にある場合、交換作業者が取っ手を手で掴んでいる状態の外観側面図、図１１は交換ユニットの移動体が移動困難手段の位置にある場合、交換作業者が交換ユニットの正面側を掴んでいる状態の外観側面図をそれぞれ示すものである。
【００８９】
第一の実施の形態では、上扉３０及び交換ユニット２からなる扉一体型交換ユニット８を、いわゆる新台入れ替えの際、交換するものであって、かかる扉一体型交換ユニット８の重心９が、移動体８１及び移動困難手段９０の間で所定の位置関係に設定してあったが、本実施の形態では、いわゆる新台入れ替えの際、上扉３０は交換せずに、交換ユニット２だけを交換するものであって、かかる交換ユニット２の重心９が、移動体８１及び移動困難手段９０の間で所定の位置関係に設定してあるものである。その他の構成は、第一の実施の形態と同一である。
【００９０】
具体的に説明すると、交換ユニット２は、遊技内容を変更するために本体キャビネット１に対して交換可能に形成されているものである。
そして、中板１２は、交換ユニット２を本体キャビネット１の奥側内部に案内するためのガイド８０を備えている。
そして、交換ユニット２は、交換ユニット２の下部に固定されてガイドに沿って移動可能な移動体８１と、リールユニット２０を装着するための枠２１と、枠２１に手で握ることが可能な取っ手７１とを備えている。
【００９１】
そして、ガイド８０は、その前後方向の途中に移動体８１の移動を困難なものにする移動困難手段９０を設けている。
そして、交換ユニット２を手前側に引き出して移動体８１が移動困難手段９０に位置しているとき、交換ユニット２の重心９がガイド８０の手前側の前端よりも奥側に位置するように移動困難手段９０をガイド８０の前後方向の所定位置に形成してあるものである。なお、移動困難手段９０は、第一の実施の形態で説明したものと同様に、奥側斜面９２及び手前側斜面９３により下方に向かってＶ字状に窪んだ窪み部９１からなるものである。また、移動体８１や、取っ手７１や、上板７０等の構造は第一の実施の形態と同一である。
【００９２】
本実施の形態に係る交換ユニット２は、枠２１の上部に手で握ることが可能な取っ手７１を備えているため、交換ユニット２の交換作業の際、かかる取っ手７１を手で握って持ち上げることができ、また、移動や搬送における持ち運び作業の際、取り扱いに便利である。これにより、交換ユニット２の交換作業を容易なものにすることができる。
【００９３】
そして、交換ユニット２の下部に固定された移動体８１が、中板１２のガイド８０に沿って移動することにより、交換ユニット２をガイド８０に沿って本体キャビネット１の前後方向にスムーズに移動させることができる。そして、移動困難手段９０に移動体８１が位置すると、交換ユニット２の移動を困難なものにして停止させることができる。そして、移動体８１が移動困難手段９０に位置している状態において、交換ユニット２の重心９がガイド８０の手前側の前端よりも奥側の位置となるように、移動困難手段９０をガイド８０の前後方向の所定位置に形成してあるため、移動体８１が移動困難手段９０に位置している状態では、交換ユニット２の重心９は、ガイド８０の手前側の前端より奥側に有り、交換ユニット２の重量は、本体キャビネット１の内部のガイド８０の手前側の前端より奥側に加わる。これにより、交換ユニット２が本体キャビネット１内部位置において、安定して支持され、手前側に向かって倒れ落ちることがなく、遊技者は交換ユニット２から安心して手を外し、ゆっくりと手の掴み位置を持ち替えることができる。したがって、交換ユニット２の交換作業を容易なものにすることができる。
【００９４】
なお、交換作業の手順等も、第一の実施の形態で説明した扉一体型交換ユニット８（上扉３０＋交換ユニット２）の代わりに、上扉３０を外した状態の交換ユニット２を交換するものであって、略同様である。これにより、いわゆる新台入れ替えの際、交換ユニット２の交換作業を容易なものにすることができる。
上述した第一及び第二の実施の形態において、取っ手７１は、交換ユニット２の上板７０の上面に形成されているが、特にこれに限定されるものではない。例えば、取っ手７１を、枠２１の左右側面に形成しても良いものである。特に図示していないが、取っ手７１を交換ユニット２の枠２１の左右側面に、その長手方向が水平方向となるように形成するものである。もちろん、取っ手７１の長手方向が鉛直方向となるように交換ユニット２の左右側面に形成しても良いものである。このように、取っ手７１を交換ユニット２の左右側面に形成されているため、一人の交換作業者が交換ユニット２或いは扉一体型交換ユニット８を持ち運ぶような場合、左右の手を交換ユニット２或いは扉一体型交換ユニット８の左右側方に回して、自分の正面で抱えるようにして持ち運ぶことができる。また、二人の交換作業者が交換ユニット２或いは扉一体型交換ユニット８を持ち運ぶような場合、交換ユニット２或いは扉一体型交換ユニット８の左右に各交換作業者が一人ずつ立って、左側の取っ手７１を左側の交換作業者が手で持ち、右側の取っ手７１を右側の交換作業者が手で持つことにより、二人で１台の交換ユニット２或いは扉一体型交換ユニット８を持ち運ぶことができる。このように、側方から手を差し込んで取っ手７１を掴むことができて、一人或いは二人でも交換作業性を良好なものにすることができる。
【００９５】
【発明の効果】
本発明は、以上のように構成されているので、以下に記載されるような効果を奏する。
（請求項１）
請求項１記載の発明によれば、次のような効果を奏する。
【００９６】
すなわち、請求項１記載の発明によれば、交換ユニットの交換作業を容易なものにすることができるようにした遊技機を提供することができる。
（請求項２）
請求項２記載の発明によれば、次のような効果を奏する。
すなわち、請求項２記載の発明によれば、扉一体型交換ユニットの交換作業を容易なものにすることができるようにした遊技機を提供することができる。
【００９７】
（請求項３）
請求項３記載の発明によれば、上記した請求項１又は請求項２記載の発明の効果に加え、次のような効果を奏する。
すなわち、請求項３記載の発明によれば、移動体を移動困難手段の位置に一時的に留めておくことができるようにした遊技機を提供することができる。
【００９８】
（請求項４）
請求項４記載の発明によれば、上記した請求項１乃至３のいずれか１項に記載の発明の効果に加え、次のような効果を奏する。
すなわち、請求項４記載の発明によれば、上方から差し込んだ手で掴むことが容易な取っ手を有する遊技機を提供することができる。
【００９９】
（請求項５）
請求項５記載の発明によれば、上記した請求項１乃至４のいずれか１項に記載の発明の効果に加え、次のような効果を奏する。
すなわち、請求項５記載の発明によれば、取っ手を握って前後方向や上下方向にへ移動させることが容易な遊技機を提供することができる。
【０１００】
（請求項６）
請求項６記載の発明によれば、上記した請求項１乃至４のいずれか１項に記載の発明の効果に加え、次のような効果を奏する。
すなわち、請求項６記載の発明によれば、取っ手を握って左右方向や上下方向に移動しやすいようにした遊技機を提供することができる。
【０１０１】
（請求項７）
請求項７記載の発明によれば、上記した請求項１乃至３のいずれか１項に記載の発明の効果に加え、次のような効果を奏する。
すなわち、請求項７記載の発明によれば、枠の側方から手を差し込んで掴むことができて、一人或いは二人でも作業性が良好な取っ手を有する遊技機を提供することができる。
【０１０２】
（請求項８）
請求項８記載の発明によれば、上記した請求項１乃至７のいずれか１項に記載の発明の効果に加え、次のような効果を奏する。
すなわち、請求項８記載の発明によれば、取っ手を使用しない場合は折りたたむことができて、交換作業等の邪魔にならないようにすることが可能な遊技機を提供することができる。
【０１０３】
（請求項９）
請求項９記載の発明によれば、上記した請求項１乃至８のいずれか１項に記載の発明の効果に加え、次のような効果を奏する。
すなわち、請求項９記載の発明によれば、交換ユニット或いは扉一体型交換ユニットの本体キャビネットからの落下を回避可能な遊技機を提供することができる。
【図面の簡単な説明】
【図１】本発明の第一の実施の形態であって、扉一体型交換ユニットの移動体が移動困難手段の位置にある場合、交換作業者が取っ手を手で掴んでいる状態を示す外観側面図である。
【図２】本発明の第一の実施の形態であって、扉一体型交換ユニットの移動体が移動困難手段の位置にある場合、交換作業者が扉一体型交換ユニットの正面側を掴んでいる状態を示す外観側面図である。
【図３】本発明の第一の実施の形態であって、遊技機を示す外観側面図である。
【図４】本発明の第一の実施の形態であって、遊技機を示す分解斜視図である。
【図５】本発明の第一の実施の形態であって、遊技機を示す分解斜視図である。
【図６】本発明の第一の実施の形態であって、交換ユニットを示す外観斜視図である。
【図７】本発明の第一の実施の形態であって、取っ手を示す外観斜視図である。
【図８】本発明の第一の実施の形態であって、ガイド及び移動体を示す概略斜視図である。
【図９】本発明の第一の実施の形態に係るガイド及び移動体であって、（ａ）は移動体が移動困難手段よりも手前側に位置するときを示す概略模式図、（ｂ）は移動体が移動困難手段に位置するときを示す概略模式図、（ｃ）は移動体が移動困難手段よりも奥側に位置するときを示す概略模式図である。
【図１０】本発明の第二の実施の形態であって、交換ユニットの移動体が移動困難手段の位置にある場合、交換作業者が取っ手を手で掴んでいる状態を示す外観側面図である。
【図１１】本発明の第二の実施の形態であって、交換ユニットの移動体が移動困難手段の位置にある場合、交換作業者が交換ユニットの正面側を掴んでいる状態を示す外観側面図である。
【符号の説明】
Ｓ    遊技機                          １    本体キャビネット
２    交換ユニット                    ３    扉
４    電源ユニット                    ５    払い出し装置
７    扉ロック機構                    ８    扉一体型交換ユニット
９    重心                            １０  固定装置
１１  正面開口部                      １２  中板
１３  開口上部                        １４  開口下部
１５  底板                            １６  側板
１７  天板                            １８  裏板
２０  リールユニット                  ２１  枠
２３  回転リール                      ２４  基板ユニット
２５  主制御装置                      ２６  基板ケース
３０  上扉                            ３１  表示窓
３２  表示装置                        ３３  飾り部
３４  フック                          ３５  クリップ
４０  下扉                            ４１  操作部
４２  メダル投入口                    ４３  メダル受け
４４  鍵穴                            ４８  メダルセレクター
４９  スピーカー                      ５０  前パネル
６０  枠体係合部                      ６１  上扉係合部
６２  本体係合部                      ６３  下扉係合部
６９  突出片                          ７０  上板
７１  取っ手                          ７２  取っ手本体部
７３  連結部                          ７４  回動手段
７５  回動ピン                        ７６  握り棒
７７  支持片                          ７８  ピン孔
８０  ガイド                          ８１  移動体
９０  移動困難手段                    ９１  窪み部
９２  奥側斜面                        ９３  手前側斜面
９４  立ち上がり片                    ９５  折れ曲がり片
【図１】
2004236956.tif 000003
【図２】
2004236956.tif 000004
【図３】
2004236956.tif 000005
【図４】
2004236956.tif 000006
【図５】
2004236956.tif 000007
【図６】
2004236956.tif 000008
【図７】
2004236956.tif 000009
【図８】
2004236956.tif 000010
【図９】
2004236956.tif 000011
【図１０】
2004236956.tif 000012
【図１１】
2004236956.tif 000013